【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
コンテンツ・データを携帯端末へ提供する方法であって、該方法は該携帯端末が実施する下記のステップを具備する：、
（ａ）コンテンツ・サーバにより送信されるコンテンツ・データを受信すること、
（ｂ）分類データに従って該コンテンツ・データを分類すること、
（ｃ）前記携帯端末内にコンテンツ・データを格納すること、
（ｄ）コンテンツ・データにアクセスを可能にするリンクを作成すること、
（ｅ）  更なるリンクが該携帯端末上で選択されるときにのみ、該コンテンツ・サーバにより送信されることができるとともに類似分類データを有するコンテンツ・データを送信するための該更なるリンクに前記リンクを関連付けること、ここにおいて、ステップ（ｂ）は、前記コンテンツ・データ内に備えられた分類データに従って前記コンテンツ・データを分類することを具備する。
【請求項２】
前記リンクが、携帯端末に関連付けられる表示スクリーンで表示される、請求項１記載の方法。
【請求項３】
前記リンクが、前記表示スクリーンの所定セクション内に表示される、請求項２記載の方法。
【請求項４】
一又はそれ以上のリンクが表示スクリーンに表示され、前記一又はそれ以上の各リンクが、
（ｉ）ローカル制御コマンド、
（ｉｉ）前記携帯端末内に格納されるコンテンツ・データ又は、
（ｉｉｉ）前記携帯端末から遠隔格納されるコンテンツ・データ、
のいずれかに関連付けされている、請求項２又は３記載の方法。
【請求項５】
遠隔格納されるコンテンツ・データに関連付けされるリンクの出現は、前記携帯端末が、遠隔格納コンテンツ・データが格納されるデバイスに接続されているかどうか表示するために修正される、請求項４記載の方法。
【請求項６】
前記リンクは、前記関連付けられるコンテンツ・データが他の端末へ使用可能にされているかどうかを表示するデータを備える、請求項４又は５記載の方法。
【請求項７】
前記リンクが第１時間値を備え、該リンクが前記第１時間値が得られるまで表示されない、請求項１乃至６いずれかに記載の方法。
【請求項８】
前記リンクが第２時間値を備え、該リンクが前記第２時間値が得られるまで表示される、請求項１乃至７いずれかに記載の方法。
【請求項９】
前記ステップ（ｅ）が、前記一又はそれ以上のリンクを格納するために、階層ツリー構造を作成することを具備する、請求項１乃至８いずれかに記載の方法。
【請求項１０】
前記ステップ（ｅ）は、更に、新しい分類コードを備えたコンテンツ・データが受信された場合に、前記階層ツリー構造を拡張することを具備する、請求項９記載の方法。
【請求項１１】
ステップ（ｄ）に於いて作成される前記リンクが、コンテンツ・データに関連付けられるハイパーリンクを具備する、請求項１乃至１０記載の方法。
【請求項１２】
前記コンテンツ・データが、オーディオデータである、請求項１１記載の方法。
【請求項１３】
前記作成されるリンクが、実行可能オブジェクトに関連付けられるハイパーリンクを具備する、請求項１１記載の方法。
【請求項１４】
前記実行可能オブジェクトが、MIDletである、請求項１３記載の方法。
【請求項１５】
ステップ（ｄ）に於いて作成される前記リンクが、ローカル制御コマンドを具備する、請求項１乃至１０いずれかに記載の方法。
【請求項１６】
一又はそれ以上のリンクの表示により、端末がユーザ・インターフェース・ページを表示する、請求項２乃至１５いずれかに記載の方法。
【請求項１７】
前記ユーザ・インターフェース・ページが、一又はそれ以上の更なるリンクを挿入することにより更新される、請求項１６記載の方法。
【請求項１８】
前記ユーザ・インターフェース・ページが、一又はそれ以上の更なるリンクを消去することにより更新される、請求項１６又は１７記載の方法。
【請求項１９】
請求項１乃至１８いずれかに記載の方法を行うためのコンピュータ実行可能コードを備えたデータ・キャリア。
【請求項２０】
携帯端末のためのコンテンツ・インストレーション・モジュールであって、
前記モジュールは、動作時に於いて人の操作によらずに下記を実施するように構成されている、
分類データに従って前記携帯端末(100)により受信されるコンテンツ・データを分類する、
前記携帯端末内に前記コンテンツ・データを格納する、
前記コンテンツ・データへアクセスするリンクを作成する、
更なるリンクが該携帯端末上で選択されるときにのみ、該コンテンツ・サーバにより送信されるように動作可能であるとともに類似分類データを有するコンテンツを送信するための前記更なるリンクに前記リンクを関連付ける、ここにおいて、前記コンテンツ・データを分類することは、該コンテンツ・データ内に備えられた分類データに従って前記コンテンツ・データを分類する、
コンテンツ・データにアクセスするためのアクセス・オブジェクトを作成する、
ことを具備する。
【請求項２１】
前記モジュールが、更に、前記携帯端末に関連付けられる表示スクリーンに該リンクを表示するように構成される、請求項２０記載のコンテンツ・インストレーション・モジュール。
【請求項２２】
前記モジュールが、前記表示スクリーンの所定セクション内に前記リンクを表示するように構成される、請求項２１記載のコンテンツ・インストレーション・モジュール。
【請求項２３】
前記モジュールが表示スクリーンに一又はそれ以上のリンクを表示するように構成され、及び前記一又はそれ以上の各リンクが、
（ｉ）ローカル制御コマンド、
（ｉｉ）前記携帯端末内に格納されるコンテンツ・データ又は、
（ｉｉｉ）前記携帯端末から遠隔格納されるコンテンツ・データ、
のいずれかに関連付けされるように構成される、請求項２１又は２２記載のコンテンツ・インストレーション・モジュール。
【請求項２４】
前記モジュールは、前記携帯端末が遠隔格納コンテンツ・データが格納されるデバイスに接続されているかどうか表示するために、遠隔格納されるコンテンツ・データに関連付けされるリンクの出現を修正するように構成される、請求項２３記載のコンテンツ・インストレーション・モジュール。
【請求項２５】
前記モジュールが、階層ツリー構造内において、一又はそれ以上のリンクを格納するように構成される、請求項２０乃至２４いずれかに記載のコンテンツ・インストレーション・モジュール。
【請求項２６】
前記モジュールが、新しい分類コードを備えたコンテンツ・データが受信された場合に、前記階層ツリー構造を拡張するように構成される、請求項２５記載のコンテンツ・インストレーション・モジュール。
【請求項２７】
表示手段（110）およびユーザ入力手段（120）を備えた携帯端末、該携帯端末は、動作時に、下記を行うように構成されている、
分類データに従って前記携帯端末(100)により受信されるコンテンツ・データを分類する、
前記携帯端末内に前記コンテンツ・データを格納する、
前記コンテンツ・データへアクセスするリンクを作成する、
更なるリンクが該携帯端末上で選択されるときにのみ、該コンテンツ・サーバにより送信されることを実施可能であるとともに類似分類データを有するコンテンツ・データを送信するための更なるリンクに前記リンクを関連付ける、
ここにおいて、前記コンテンツ・データを分類することは、該コンテンツ・データ内に備えられた分類データに従って前記コンテンツ・データを分類することを具備する。
【請求項２８】
前記端末は、更に、前記表示手段上に該リンクを表示するように構成される、請求項２７記載の携帯端末。
【請求項２９】
前記端末は、前記表示手段の所定セクション内に前記リンクを表示するように構成される、請求項２７記載の携帯端末。
【請求項３０】
前記端末は、前記表示手段に一又はそれ以上のリンクを表示し、前記一又はそれ以上のリンクのそれぞれが、
（ｉ）ローカル制御コマンド、
（ｉｉ）前記携帯端末内に格納されるコンテンツ・データ又は、
（ｉｉｉ）前記携帯端末から遠隔格納されるコンテンツ・データ、
のいずれかに関連付けされるように構成される、請求項２８又は２９記載の携帯端末。
【請求項３１】
前記端末は、マークアップ言語表示データを使用時に生成するように構成されたユーザ・インターフェース・エンジンと、該表示手段上の表示のための該マークアップ言語表示データを使用時に提供するように構成されたブラウザとをさらに具備する、請求項２８乃至３０いずれかに記載の携帯端末。